(57)【要約】【課題】靴下編み機で一体的に編成するために安価であるにも関わらずフィット性が高く、履きやすく履き心地がよく、歩行等の動作によっても脱げたり位置ずれしたりすることを少なくする。【解決手段】このフットカバー１００は、着用者の足Ｆの足指、踵および足底を被覆し足首を露出するフットカバーであって、靴下編み機により一体的に編成された足指部１１０と足甲部１２０と踵部１４０と足底部１３０とを含む。この足底部１３０に対して上下反対側に足を出し入れするとともに、フットカバー１００が足首を覆わないようにするための開口部１５０が設けられている。開口部１５０の周囲の全体に連続して、フットカバー１００の全体の形状を形成する編地に含まれてフットカバー１００の全体の伸縮性を発現させる弾性糸とは異なる弾性糸が編み込まれている。【選択図】図１
2019210570.tif 000002
【特許請求の範囲】
【請求項１】
足指、踵および足底を被覆し足首を露出するフットカバーであって、
靴下編み機により一体的に編成された足指部と足甲部と踵部と足底部とを含み、
前記フットカバーを平面上に載置した場合の前記足指部から前記踵部への方向を前後方向として、前記平面上における前記前後方向に垂直な方向を左右方向として、前記平面に垂直な方向を上下方向として、
前記足底部に対して上下反対側に足を出し入れするとともに、前記フットカバーが足首を覆わないようにするための開口部を設け、
前記開口部の周囲の全体に連続して、前記編地に含まれて前記フットカバーの全体の伸縮性を発現させる弾性糸とは異なる弾性糸が編み込まれていることを特徴とするフットカバー。
【発明の詳細な説明】
【技術分野】
【０００１】
本発明は、着用して靴を履くとその靴の内側に隠れるフットカバーに関し、特に、靴下編み機で一体的に編成するために安価であるにも関わらずフィット性が高く、履きやすく履き心地がよく、歩行等の動作によっても脱げたり位置ずれしたりすることを少なくできる、足首を露出するフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【先行技術文献】
【特許文献】
【０００５】
【特許文献１】特開平１０−２９２２０６号公報
【特許文献２】実用新案登録第３１６５７３３号公報
【発明の概要】
【発明が解決しようとする課題】
【０００６】
しかしながら、特許文献１に開示されたフットカバーは、伸縮性を有した２部のシート体が縫合されて立体縫製されたものであるために（特許文献１の第００１１段落）、その製造コストが高価になる。また、特許文献２の第００１４段落には、フットカバーを形成する生地は、複数枚の生地を縫合したもの、１枚の生地で編成されたもの、のいずれであってもよいとの記載があるものの、開口部の周縁に沿って平ゴムを設けて一面が足に接するようにした帯状伸縮部を形成しなければならないために、その製造コストが高価になる。
【０００７】
このような製造コストが高価になることを回避する方法として、広く普及している（ヨコ編み機の一種である）靴下編み機でフットカバーを一体的に編成することが考えられる。このような１枚の生地（１枚の編地）で編成すること自体は上述した特許文献２に開示されているとしても、通常の靴下編み機で編成したのでは足首を露出するために大きく開いた開口部に十分な伸縮性を発現させることができないために、特許文献２に開示されているように帯状伸縮部を形成しなければならない。
【０００８】
ここで、靴下編み機で編成される通常の形状を備えた靴下（足指、足甲、足首、踵および足底を被覆する形状であって足首が露出しない形状）は、開口部（履き口）が足首の上方に位置することになり上下方向にある程度の長さを有するために（それ故に履き口がズレ落ちて靴下がズレ下がることになるのであるが）、その履き口にはゴム編み等を設けて伸縮性を高めて靴下がズレ下がることのないようにすることができる。
【０００９】
しかしながら、このように履き口に設けたゴム編み等により伸縮性を発現させるためには、上述したように上下方向にある程度の長さが必要になるが、足指、踵および足底を被覆し足首を露出するフットカバーにおいては、通常の形状の靴下における足首から脛までの部分に対応する上下方向のある程度の長さを備えないために、十分な伸縮性をゴム編み等により実現することができない。
【００１０】
本発明は、従来技術の上述の問題点に鑑みて開発されたものであり、その目的とするところは、靴下編み機で一体的に編成するために安価であるにも関わらずフィット性が高く、履きやすく履き心地がよく、歩行等の動作によっても脱げたり位置ずれしたりすることを少なくできる、足首を露出するフットカバーを提供することである。
【課題を解決するための手段】
【００１１】
上記目的を達成するため、本発明に係るフットカバーは以下の技術的手段を講じている。
すなわち、本発明に係るフットカバーは、足指、踵および足底を被覆し足首を露出するフットカバーであって、靴下編み機により一体的に編成された足指部と足甲部と踵部と足底部とを含み、前記フットカバーを平面上に載置した場合の前記足指部から前記踵部への方向を前後方向として、前記平面上における前記前後方向に垂直な方向を左右方向として、前記平面に垂直な方向を上下方向として、前記足底部に対して上下反対側に足を出し入れするとともに、前記フットカバーが足首を覆わないようにするための開口部を設け、前記開口部の周囲の全体に連続して、前記編地に含まれて前記フットカバーの全体の伸縮性を発現させる弾性糸とは異なる弾性糸が編み込まれていることを特徴とする。
【発明の効果】
【００１２】
本発明に係るフットカバーによれば、足首を露出することができるとともに、靴下編み機で一体的に編成するために安価であるにも関わらずフィット性が高く、履きやすく履き心地がよく、歩行等の動作によっても脱げたり位置ずれしたりすることを少なくできる。
【図面の簡単な説明】
【００１３】
【図１】本発明の実施の形態に係るフットカバー１００についての（Ａ）足Ｆの内側から見た全体斜視図、（Ｂ）足Ｆの外側から見た全体斜視図である。
【図２】フットカバー１００についての（Ａ）足の内側から見た側面図、（Ｂ）足の外側から見た側面図である。
【図３】開口部に編み込まれる弾性糸を説明するためのフットカバー１００の上面図である。
【発明を実施するための形態】
【００１４】
以下、本発明の実施の形態に係るフットカバー１００を、図面に基づき詳しく説明する。図１は、本実施の形態に係るフットカバー１００を足Ｆ（ここでは右足）に着用した着用状態を示す全体斜視図であって、図１（Ａ）は足Ｆの内側から見た（着用者を左側に見た）全体斜視図であって、図１（Ｂ）は足Ｆの外側から見た（着用者を右側に見た）全体斜視図である。図２は、フットカバー１００を足Ｆに着用した着用状態を示す側面図であって、図２（Ａ）は足Ｆの内側（着用者の左側から見た）から見た側面図であって、図２（Ｂ）は足Ｆの外側（着用者の右側から見た）から見た側面図である。図３は、フットカバー１００の開口部に編み込まれる弾性糸を説明するための上面図であって、図３（Ａ）はフットカバー１００の全体的な上面図であって、図３（Ｂ）は開口部１５０の上面図（その１）であって、図３（Ｃ）は開口部１５０の上面図（その２）である。
【００１５】
ここで、図１〜図３は、着用者の足Ｆにこのフットカバー１００を着用している状態を想定している。すなわち、本実施の形態に係るフットカバー１００は、靴下等に用いられる伸縮性編地で形成されているために、このように想定して図示しない場合には縮んだ状態となり、形状を理解することが困難なため、上述のように想定している。ここで、以下においては、フットカバー１００を平面上に載置した場合の足指部から踵部への方向を前後方向として、平面上における前後方向に垂直な方向を左右方向として、平面に垂直な方向を上下方向として、説明する。
【００１６】
なお、フットカバーの構造には様々なものがあり、本発明は特定の構造に限定されるものではなく、後述する特徴（靴下編み機により一体的に編成された足指部と足甲部と踵部と足底部とを含み、足底部に対して上下反対側に足を出し入れするとともに、フットカバーが足首を覆わないようにするための開口部を設け、開口部の周囲の全体に連続して、フットカバーの全体の形状を形成する編地に含まれてフットカバーの全体の伸縮性を発現させる弾性糸とは異なる弾性糸が編み込まれている）を備えたものであれば、どのようなフットカバーの構造であっても、フットカバー１００を構成する編地の種類、編糸の種類および弾性糸の種類はどのようなものであっても基本的には構わない。そのため、以下に示すフットカバー１００の構造自体は単なる例示でしかない。特に、開口部１５０の大きさについては、足甲部が大きく開いた婦人用のパンプス等を履いても靴の内側にフットカバーが隠れるように、開口部１５０をさらに足指側へ拡張することも好ましい。
【００１７】
さらに、本実施の形態に係るフットカバー１００は、足指、踵および足底を被覆し足首を露出するフットカバーであって、靴下編み機により一体的に編成された足指部１１０と足甲部１２０と踵部１４０と足底部１３０とを含む。この足底部１３０に対して上下反対側に足を出し入れするとともに、フットカバー１００が足首を覆わないようにするための開口部１５０が設けられている。そして、特徴的であるのは、このフットカバー１００は靴下編み機により一体的に編成されていることに加えて、開口部１５０の周囲の全体に連続して（開口部１５０の前後左右の全周に連続して）、フットカバー１００の全体の形状を形成する編地に含まれてフットカバー１００の全体の伸縮性を発現させる弾性糸とは異なる弾性糸１５２（弾性糸１５４）が１本以上編み込まれていることである。
【００１８】
また、限定されるものではないが、以下に示すフットカバー１００は左右共用であって、左右共用であるために左右を履き間違いすることがない点で好ましい。なお、フットカバー１００が左右共用でない場合には、左足用と右足用とは左右対称の形状を備える。
さらに詳しく、フットカバー１００について説明する。
このフットカバー１００は、上述したように、広く普及しているヨコ編み機の一種である靴下編み機により一体的に編成されている。フットカバー１００の全体の形状を形成する編地を編成する編糸としては、通常の靴下と同様に、綿糸、ナイロン糸、フットカバー１００の全体の伸縮性を発現させる弾性糸が（適宜組み合わせられて）好適に採用される。また、編成途中で編地を切り替えて、このフットカバー１００が足Ｆからずれることを防止するために足甲部１２０に足甲から足裏へ足の周りにぐるっと伸縮部１２２を備えることも好ましく、また、踵部１４０の上端が把持されてフットカバー１００が着脱されることが多く痛みやすいのでこの部分の強度を増強するために踵部１４０の踵上端部１４２を袋状に（二重に）編成することも好ましい。
【００１９】
そして、特徴的であるのは、開口部１５０の周囲の全体に連続して、フットカバー１００の全体の形状を形成する編地に含まれてフットカバー１００の全体の伸縮性を発現させる弾性糸とは異なる弾性糸１５２（弾性糸１５４）が編み込まれていることである。
ここで、開口部１５０の周囲の全体とは、図３（Ｂ）に示すように開口部１５０の最内ではない周縁（最内よりも白抜き矢示のように開口部１５０における最内の周縁から引っ込んでいる）の全周囲（爪先側周縁部１５２Ａと踵側周縁部１５２Ｂとで形成される周囲）であっても構わないし、図３（Ｃ）に示すように開口部１５０の最内の周縁の全周囲（爪先側周縁部１５２Ａと踵側周縁部１５４Ｂとで形成される周囲）であっても構わないし、これらの間であっても構わない。ここで、踵側周縁部１５２Ｂと踵側周縁部１５４Ｂとの差異は、踵上端部１４２の根元側が踵側周縁部１５２Ｂであって、踵上端部１４２の開放側が踵側周縁部１５４Ｂである点で異なる。
【００２０】
このように開口部１５０の周囲の全体に連続して弾性糸１５２（弾性糸１５４）を編み込むことができる靴下編み機を用いた編成方法であれば、どのような編成方法であっても構わない。また、弾性糸１５２（弾性糸１５４）の組成（ベア糸、カバリング糸等を含めて）、ならびに、糸太さおよび本数に大きく起因する伸縮力等は開口部１５０の開口面積の大きさ等に基づいて、フィット性を高く維持するとともによく伸びてよく縮んで履きやすく履き心地がよく、歩行等の動作によっても脱げたり位置ずれしたりすることを少なくできるように、適宜設定される。なお、本発明を容易に理解するために図３においては弾性糸１５２（弾性糸１５４）を１本としてさらに露出させて記載しているが、１本以上であっても構わないし、また、他の編糸に隠れて露出して見えないものであっても構わない。
【００２１】
このように靴下編み機で一体的に編成されたフットカバー１００における開口部１５０の周囲の全体に連続して、弾性糸１５２（弾性糸１５４）が編み込まれている。この開口部１５０の周囲の全体に連続して編み込まれた弾性糸１５２（弾性糸１５４）により、開口部１５０が好適な伸縮性を備えるために、フィット性が高く、履きやすく履き心地がよく、歩行等の動作によっても脱げたり位置ずれしたりすることを少なくできるフットカバー１００を実現することができる。
【００２２】
以上のようにして、本実施の形態に係るフットカバー１００によると、足首を露出することができるとともに、靴下編み機で一体的に編成するために安価であるにも関わらずフィット性が高く、履きやすく履き心地がよく、歩行等の動作によっても脱げたり位置ずれしたりすることを少なくできる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２３】
本発明は、足指、踵および足底を被覆し足首を露出するフットカバーに好適であり、靴下編み機で一体的に編成するために安価であるにも関わらずフィット性が高く、履きやすく履き心地がよく、歩行等の動作によっても脱げたり位置ずれしたりすることを少なくできる点で特に好ましい。
【符号の説明】
【００２４】
１００  フットカバー
１１０  足指部
１２０  足甲部
１３０  足底部
１４０  踵部
Ｆ  足
【図１】
2019210570.tif 000003
【図２】
2019210570.tif 000004
【図３】
2019210570.tif 000005